(57)【要約】【課題】包装容器の寸法変化があっても良好な係合状態が得られる包装容器の蓋体を提供する。【解決手段】蓋体１は、合成樹脂を成形してなり、包装容器の開口部を覆うように形成される。又、蓋体１は、平面視において少なくとも外周縁の一部に直線形状の第１直線部分を有する上部と、上部の外周縁から下方に延びる周壁部２０と、第１直線部分における周壁部２０の下端に設けられる一対の第１切欠部３１ａ、３１ｂの間に形成される第１嵌合片４１とを備える。【選択図】  図３
2018047945.tif 000002
【特許請求の範囲】
【請求項１】
合成樹脂を成形してなり、包装容器の開口部を覆うように形成される蓋体であって、
平面視において少なくとも外周縁の一部に直線形状の第１直線部分を有する上部と、
前記上部の外周縁から下方に延びる周壁部と、
前記第１直線部分における前記周壁部の下端に設けられる一対の第１切欠部の間に形成される第１嵌合片とを備える、蓋体。
【請求項２】
前記第１嵌合片は、内方に向かって突出した凸部を有する、請求項１記載の蓋体。
【請求項３】
前記一対の第１切欠部は、それぞれ上方に向かって先細りのテーパー構造を有する、請求項１又は請求項２記載の蓋体。
【請求項４】
前記第１嵌合片は、下端に行くにしたがって外方に向かって広がる形状を有する、請求項１から請求項３のいずれかに記載の蓋体。
【請求項５】
更に、前記上部は、前記第１直線部分と対向する位置に、前記第１直線部分に対して平行に延びる第２直線部分を有し、
前記第２直線部分における前記周壁部の下端に設けられる一対の第２切欠部の間に形成される第２嵌合片を備える、請求項１から請求項４のいずれかに記載の蓋体。
【請求項６】
更に、前記第１直線部分及び前記第２直線部分に直交する方向に延びる第３直線部分と、
前記第３直線部分における前記周壁部の下端に設けられる一対の第３切欠部の間に形成される第３嵌合片と、
前記第１直線部分及び前記第２直線部分に直交する方向に延びる第３直線部分と、
前記第３直線部分と対向する位置に、前記第３直線部分に対して平行に延びる第４直線部分と、
前記第４直線部分における前記周壁部の下端に設けられる一対の第４切欠部の間に形成される第４嵌合片とを備える、請求項５記載の蓋体。
【請求項７】
更に、前記上部は、前記第１直線部分と前記第３直線部分との間の少なくとも一部に設けられる第５直線部と、
前記第５直線部分における前記周壁部の下端に設けられる一対の第５切欠部の間に形成される第５嵌合片と、
前記第１直線部分と前記第４直線部分との間の少なくとも一部に設けられる第６直線部分と、
前記第６直線部分における前記周壁部の下端に設けられる一対の第６切欠部の間に形成される第６嵌合片と、
前記第２直線部分と前記第３直線部分との間の少なくとも一部に設けられる第７直線部と、
前記第７直線部分における前記周壁部の下端に設けられる一対の第７切欠部の間に形成される第７嵌合片と、
前記第２直線部分と前記第４直線部分との間の少なくとも一部に設けられる第８直線部分と、
前記第８直線部分における前記周壁部の下端に設けられる一対の第８切欠部の間に形成される第８嵌合片とを備える、請求項６記載の蓋体。
【請求項８】
合成樹脂を成形してなり、包装容器の開口部を覆うように形成される蓋体であって、
平面視において少なくとも外周縁の一部に直線形状の第１直線部分及び前記第１直線部分と対向する位置に前記第１直線部分に対して平行に延びる第２直線部分を有する上部と、
前記上部の外周縁から下方に延びる周壁部と、
前記第１直線部分における前記周壁部の下端において周方向の一方側に設けられる第１切欠部と、
前記第２直線部分における前記周壁部の下端において周方向の一方側に設けられる第２切欠部とを備える、蓋体。
【発明の詳細な説明】
【技術分野】
【０００１】
この発明は包装容器の蓋体に関し、特に、食品等を収容する容器本体に脱着自在に取り付けることができる蓋体に関するものである。
【背景技術】
【０００２】
従来、食品等を収容する容器本体と、これに脱着自在に嵌合される蓋とを備える蓋付包装容器が知られている。
【０００３】
蓋付包装容器の一例としては、板紙原紙をプレス成形して製造する紙製の容器本体と、合成樹脂材料を成型して製造するプラスチック製の蓋とを組み合わせたものが知られている（例えば、特許文献１及び特許文献２）。
【０００４】
図１１は、従来の紙製容器とプラスチック製蓋とから構成される蓋付包装容器として使用した場合の断面構成図である。
【０００５】
同図を参照して、蓋１５０の外周部１５１は下方に折曲げられた形状を有している。又、紙容器は、板紙原紙をプレス成形されており、その外周には、縁巻１２７が形成されている。
【先行技術文献】
【特許文献】
【０００６】
【特許文献１】特開平１０−４３０２７号公報
【特許文献２】特開平１０−７１６５６号公報
【発明の概要】
【発明が解決しようとする課題】
【０００７】
しかしながら、上述したような紙製の容器本体は、その性質上、成形後に縁巻１２７においてスプリングバック等により形状の変化が避けられず、又、特に食品を収容した場合には、調理の過程で食品から水分が流出し、紙容器に吸収され、これにより寸法が変化する場合がある。又、このような寸法の変化も容器本体に個体差がありバラツキがあった。
【０００８】
このため、設計上、蓋の寸法と容器の寸法とが整合していても、実際に内容物を収容したとき、蓋と容器との寸法が合わなくなることがあった。
【０００９】
このような事情から、蓋１５０の外周部１５１は、紙容器の縁巻１２７に十分に係合しない状態で、単に蓋１５０を容器１５１の上面に被せているだけの状態のものも多かった。
【００１０】
この発明は、上記のような課題を解決するためになされたもので、包装容器の寸法変化があっても良好な係合状態が得られる包装容器の蓋体を提供することを目的とする。
【課題を解決するための手段】
【００１１】
上記の目的を達成するために、請求項１記載の発明は、合成樹脂を成形してなり、包装容器の開口部を覆うように形成される蓋体であって、平面視において少なくとも外周縁の一部に直線形状の第１直線部分を有する上部と、上部の外周縁から下方に延びる周壁部と、第１直線部分における周壁部の下端に設けられる一対の第１切欠部の間に形成される第１嵌合片とを備えるものである。
【００１２】
このように構成すると、第１切欠部の間の第１嵌合片が動いて包装容器の寸法変化に追従できる。
【００１３】
請求項２記載の発明は、請求項１記載の発明の構成において、第１嵌合片は、内方に向かって突出した凸部を有するものである。
【００１４】
このように構成すると、凸部が包装容器の周縁に引っかかり易くなる。
【００１５】
請求項３記載の発明は、請求項１又は請求項２記載の発明の構成において、一対の第１切欠部は、それぞれ上方に向かって先細りのテーパー構造を有するものである。
【００１６】
このように構成すると、成形上有利な形状となる。
【００１７】
請求項４記載の発明は、請求項１から請求項３のいずれかに記載の発明の構成において、第１嵌合片は、下端に行くにしたがって外方に向かって広がる形状を有するものである。
【００１８】
このように構成すると、下端にかけて末広がりの形状のため包装容器に蓋を取り付けるときに位置合わせし易くなる。
【００１９】
請求項５記載の発明は、請求項１から請求項４のいずれかに記載の発明の構成において、更に、上部は、第１直線部分と対向する位置に、第１直線部分に対して平行に延びる第２直線部分を有し、第２直線部分における周壁部の下端に設けられる一対の第２切欠部の間に形成される第２嵌合片を備えるものである。
【００２０】
このように構成すると、第１嵌合片及び第２嵌合片により包装容器を挟み込むような構造となる。
【００２１】
請求項６記載の発明は、請求項５記載の発明の構成において、更に、第１直線部分及び第２直線部分に直交する方向に延びる第３直線部分と、第３直線部分における周壁部の下端に設けられる一対の第３切欠部の間に形成される第３嵌合片と、第１直線部分及び第２直線部分に直交する方向に延びる第３直線部分と、第３直線部分と対向する位置に、第３直線部分に対して平行に延びる第４直線部分と、第４直線部分における周壁部の下端に設けられる一対の第４切欠部の間に形成される第４嵌合片とを備えるものである。
【００２２】
このように構成すると、第１嵌合片〜第４嵌合片により包装容器の四方を取り囲むような構造となる。
【００２３】
請求項７記載の発明は、請求項６記載の発明の構成において、更に、上部は、第１直線部分と第３直線部分との間の少なくとも一部に設けられる第５直線部と、第５直線部分における周壁部の下端に設けられる一対の第５切欠部の間に形成される第５嵌合片と、第１直線部分と第４直線部分との間の少なくとも一部に設けられる第６直線部分と、第６直線部分における周壁部の下端に設けられる一対の第６切欠部の間に形成される第６嵌合片と、第２直線部分と第３直線部分との間の少なくとも一部に設けられる第７直線部と、第７直線部分における周壁部の下端に設けられる一対の第７切欠部の間に形成される第７嵌合片と、第２直線部分と第４直線部分との間の少なくとも一部に設けられる第８直線部分と、第８直線部分における周壁部の下端に設けられる一対の第８切欠部の間に形成される第８嵌合片とを備えるものである。
【００２４】
このように構成すると、第１嵌合片〜第８嵌合片により包装容器の八方を取り囲むような構造となる。
【００２５】
請求項８記載の発明は、合成樹脂を成形してなり、包装容器の開口部を覆うように形成される蓋体であって、平面視において少なくとも外周縁の一部に直線形状の第１直線部分及び第１直線部分と対向する位置に第１直線部分に対して平行に延びる第２直線部分を有する上部と、上部の外周縁から下方に延びる周壁部と、第１直線部分における周壁部の下端において周方向の一方側に設けられる第１切欠部と、第２直線部分における周壁部の下端において周方向の一方側に設けられる第２切欠部とを備えるものである。
【００２６】
このように構成すると、第１直線部分及び第２直線部分における周壁部が動いて包装容器の寸法変化に追従できる。
【発明の効果】
【００２７】
以上説明したように、請求項１記載の発明は、第１切欠部の間の第１嵌合片が動いて包装容器の寸法変化に追従できるので、包装容器の寸法変化があっても良好な係合状態が得られる。
【００２８】
請求項２記載の発明は、請求項１記載の発明の効果に加えて、凸部が包装容器の周縁に引っかかり易くなるので、包装容器と蓋とがより外れにくくなる。
【００２９】
請求項３記載の発明は、請求項１又は請求項２記載の発明の効果に加えて、成形上有利な形状となるので、生産効率が向上する。
【００３０】
請求項４記載の発明は、請求項１から請求項３のいずれかに記載の発明の効果に加えて、下端にかけて末広がりの形状のため包装容器に蓋を取り付けるときに位置合わせし易くなるので、取り付けが容易となる。
【００３１】
請求項５記載の発明は、請求項１から請求項４のいずれかに記載の発明の効果に加えて、第１嵌合片及び第２嵌合片により包装容器を挟み込むような構造となるため、包装容器と蓋との嵌合がより強固になる。
【００３２】
請求項６記載の発明は、請求項５記載の発明の効果に加えて、第１嵌合片〜第４嵌合片により包装容器の四方を取り囲むような構造となるため、包装容器と蓋との嵌合がより安定する。
【００３３】
請求項７記載の発明は、請求項６記載の発明の効果に加えて、第１嵌合片〜第８嵌合片により包装容器の八方を取り囲むような構造となるため、蓋を包装容器に取り付けたときのがたつきをより抑えることができる。
【００３４】
請求項８記載の発明は、第１直線部分及び第２直線部分における周壁部が動いて包装容器の寸法変化に追従できるため、包装容器の寸法変化があっても良好な係合状態が得られる。
【図面の簡単な説明】
【００３５】
【図１】この発明の第１の実施の形態による蓋体の外観形状を示した斜視図である。
【図２】図１に示した蓋体の平面図である。
【図３】図１に示した蓋体の正面図である。
【図４】図１に示した蓋体の左側面図である。
【図５】図３に示したＶ−Ｖラインの部分端面図である。
【図６】蓋体を包装容器に取り付けたときの部分端面図であって、図５に対応するものである。
【図７】この発明の第２の実施の形態による蓋体の外観形状を示す平面図であって、図２に対応するものである。
【図８】図７に示した矢印ＶＩＩＩ方向視の蓋体の一部を示す部分側面図である。
【図９】この発明の第３の実施の形態による蓋体の外観形状を示す正面図であって、図３に対応するものである。
【図１０】図９に示した蓋体の背面図である。
【図１１】従来の紙製容器とプラスチック製蓋とから構成される蓋付包装容器として使用した場合の断面構成図である。
【発明を実施するための形態】
【００３６】
図１は、この発明の第１の実施の形態による蓋体の外観形状を示した斜視図であり、図２は、図１に示した蓋体の平面図であり、図３は、図１に示した蓋体の正面図であり、図４は、図１に示した蓋体の左側面図である。
【００３７】
これらの図を参照して、包装容器の蓋体１は、ＯＰＳ（二軸延伸ポリスチレン）やＰＥＴ（ポリエチレンテレフタレート）等の合成樹脂を成形してなり、取り付け対象となる包装容器の開口部を覆うように形成される。
【００３８】
蓋体１は、平面視において、直線形状の第１直線部分１１〜第４直線部分１４を有する上部１０と、上部１０の外周縁から下方に延びる周壁部２０とを備える。
【００３９】
蓋体１は、幅Ｗ＝１７４ｍｍ、奥行Ｄ＝１２１．９９ｍｍの外形寸法に設定されている。
【００４０】
上部１０の外周縁の第１直線部分１１〜第４直線部分１４は、それぞれ、上述の外形寸法よりも内方に約２．４ｍｍ奥まった位置に形成されている。これにより、第１直線部分１１〜第４直線部分１４において周壁部２０の内方側が、取り付け対象となる包装容器の開口部の外周と嵌合するような寸法関係に設定されている。尚、その嵌合構造の詳細については後述する。
【００４１】
上部１０の外周縁の第１直線部分１１〜第４直線部分１４以外の部分は、曲線部分により構成されている。上部１０の平面視における内方には、上方に突出した突出部１９が設けられており、これにより、包装容器に取り付けられたときの容量を確保している。
【００４２】
蓋体１の高さＨ１は、２０ｍｍに設定されており、周壁部２０の下端から上端までの高さＨ２は、８ｍｍ、上部１０の突出部１９の高さＨ３は、１２ｍｍに設定されている。
【００４３】
第１直線部分１１が、蓋体の正面側に形成されており、第２直線部分１２が、第１直線部分１１と対向する位置に、第１直線部分１１に対して平行に延びるように形成されている。
【００４４】
又、第３直線部分１３は、第１直線部分１１及び第２直線部分１２に直交する方向に延びるように形成されている。
【００４５】
更に、第４直線成分１４は、第３直線部分１３と対向する位置に、第３直線部分１３に対して平行に延びるように形成されている。
【００４６】
第１直線部分１１における周壁部２０の下端では、第１直線部分１１の両端に対応する位置に、一対の第１切欠部３１ａ、３１ｂが設けられている。
【００４７】
一対の第１切欠部３１ａ、３１ｂは、正面視において、それぞれ上方に向かって尖った逆Ｖ字形状を有しており、その逆Ｖ字形状の高さ（すなわち、切り欠きの深さ）Ｈ４は、６ｍｍに設定されている。又、一対の第１切欠部３１ａ、３１ｂの間には、第１嵌合片４１が形成されている。
【００４８】
第２直線部分１２〜第４直線部分１４においても、周壁部２０の下端では、それぞれ、第１切欠部３１ａ、３１ｂと同形状の一対の第２切欠部３２ａ、３２ｂ〜一対の第４切欠部３４ａ、３４ｂが形成されている。又、一対の第２切欠部３２ａ、３２ｂ〜一対の第４切欠部３４ａ、３４ｂのそれぞれにおいて、第２嵌合片４２〜第４嵌合片４４が形成されている。
【００４９】
図５は、図３に示したＶ−Ｖラインの部分端面図である。
【００５０】
同図を参照して、第１嵌合片４１は、下端に行くにしたがって外方に向かって広がる形状を有しており、又、上下方向の中央付近には、内方に向かって突出した凸部４１ａが設けられている。
【００５１】
このように構成する効果については以下の通りである。
【００５２】
図６は、蓋体を包装容器に取り付けたときの部分端面図であって、図５に対応するものである。
【００５３】
同図を参照して、上方に開口部を有し、当該開口部の周縁において縁巻５１が形成された包装容器５０に蓋体１を取り付けると、縁巻５１の一部が、蓋体１の上部１０、周壁部２０及び第１嵌合片４１の凸部４１ａによって取り囲まれる納まりとなる。
【００５４】
図２等にて示した通り、第１嵌合片４１は、一対の第１切欠部の間にあるため、その間において内方及び外方に動かすことができる。よって、一対の第１切欠部の間の第１嵌合片４１（すなわち、周壁部２０の一部）が動いて包装容器５０の寸法変化に追従できるので、包装容器５０の寸法変化があっても良好な係合状態が得られる。
【００５５】
又、凸部４１ａが包装容器５０の周縁に引っかかり易くなるので、包装容器５０と蓋１とがより外れにくい構造となっている。
【００５６】
更に、第１嵌合片４１は、下端に行くにしたがって外方に広がる形状のため包装容器５０に蓋１を取り付けるときに位置合わせし易くなるので、取り付けが容易となる。
【００５７】
尚、図２等に示した、第２嵌合片４２〜第４嵌合片４４についても、第１嵌合片４１と同様の形状を有しており、これにより同様の効果を得ることができる。
【００５８】
又、第１嵌合片に加えて、第２嵌合片があることにより、第１嵌合片及び第２嵌合片により包装容器を挟み込むような構造となるため、包装容器と蓋との嵌合がより強固になる。
【００５９】
更に、第１嵌合片及び第２嵌合片に加えて、第３嵌合片及び第４嵌合片があることにより、これらにより包装容器の四方を取り囲むような構造となるため、包装容器と蓋との嵌合がより安定する。
【００６０】
図７は、この発明の第２の実施の形態による蓋体の外観形状を示す平面図であって、図２に対応するものであり、図８は、図７に示した矢印ＶＩＩＩ方向視の蓋体の一部を示す部分側面図である。
【００６１】
尚、説明に当たっては、基本的には第１の実施の形態によるものと同一であるため、その相違点を中心に説明する。
【００６２】
これらの図を参照して、この第２の実施の形態による蓋体１にあっては、第１の実施の形態では上部１０の外周縁の曲線部分に更に直線部分を追加している。
【００６３】
すなわち、蓋体１において、更に、上部１０は、第１直線部分１１と第３直線部分１３との間の少なくとも一部に設けられる第５直線部１５と、第５直線部分１５における周壁部２０の下端に設けられる一対の第５切欠部３５ａ、３５ｂの間に形成される第５嵌合片４５と、第１直線部分１１と第４直線部分１４との間の少なくとも一部に設けられる第６直線部分１６と、第６直線部分１６における周壁部２０の下端に設けられる一対の第６切欠部３６ａ、３６ｂの間に形成される第６嵌合片４６と、第２直線部分１２と第３直線部分１３との間の少なくとも一部に設けられる第７直線部１７と、第７直線部分１７における周壁部２０の下端に設けられる一対の第７切欠部３７ａ、３７ｂの間に形成される第７嵌合片４７と、第２直線部分１２と第４直線部分１４との間の少なくとも一部に設けられる第８直線部分１８と、第８直線部分１８における周壁部２０の下端に設けられる一対の第８切欠部３８ａ、３８ｂの間に形成される第８嵌合片４８とを備える。
【００６４】
特に、図８を参照して、第５切欠部３５ａ、３５ｂの形状は、上述した第１切欠部３１ａ、３１ｂ〜第４切欠部３４ａ、３４ｂのものと同様、逆Ｖ字形状である。又、第５嵌合片４５の構成についても、第１嵌合片４１〜第４嵌合片４４とは幅が異なる以外は同等の構成である。尚、第６切欠部３６ａ、３６ｂ〜第８切欠部３８ａ、３８ｂの形状及び第６嵌合片４６〜第８嵌合片４８の構成についても、第５切欠部３５ａ、３５ｂ及び第５嵌合片４５のものと同様である。
【００６５】
このように構成すると、第１嵌合片〜第８嵌合片により包装容器の八方を取り囲むような構造となる。このため、蓋を包装容器に取り付けたときのがたつきをより抑えることができる。
【００６６】
図９は、この発明の第３の実施の形態による蓋体の外観形状を示す正面図であって、図３に対応するものであり、図１０は、図９に示した蓋体の背面図である。
【００６７】
尚、説明に当たっては、基本的には第１の実施の形態によるものと同一であるため、その相違点を中心に説明する。
【００６８】
この実施の形態による蓋体１にあっては、第１の実施の形態から切欠部の数を減らしている。具体的には、この実施の形態による蓋体１にあっては、図２等により示した第１の実施の形態による蓋体１において、第１切欠部３１ａ、第２切欠部３２ｂ、一対の第３切欠部３３ａ、３３ｂ及び一対の第４切欠部３４ａ、３４ｂを取り除いたような構成となっている。
【００６９】
すなわち、図９及び図１０を参照して、蓋体１は、平面視において少なくとも外周縁の一部に直線形状の第１直線部分１１及び第１直線部分１１と対向する位置に第１直線部分１１に対して平行に延びる第２直線部分１２を有する上部１０と、上部１０の外周縁から下方に延びる周壁部２０と、第１直線部分１１における周壁部２０の下端において周方向の一方側（同図の矢印Ｃにて指し示す側）に設けられる第１切欠部３１ｂと、第２直線部分１２における周壁部２０の下端において周方向の一方側（同図の矢印Ｃにて指し示す側）に設けられる第２切欠部３２ａとを備える。
【００７０】
ここで、周方向の一方側とは、周方向の一方であって反時計回りの方向である。
【００７１】
このように構成すると、第１直線部分１１及び第２直線部分１２における周壁部２０が動いて包装容器の寸法変化に追従できる。よって、包装容器の寸法変化があっても良好な係合状態が得られる。
【００７２】
尚、上記の各実施の形態では、特定寸法を有する蓋体について説明したがこれに限られない。蓋体のサイズは、取り付け対象となる包装容器のサイズに合わせて適宜設定することができる。
【００７３】
又、上記の第１の実施の形態では、蓋体が、特定の合成樹脂を成形してなるものであることを説明したが、これに限られず、他の合成樹脂、例えば、ポリプロピレン、ポリエステル（ＰＥＴ、Ａ−ＰＥＴ等）、ポリエチレン、塩化ビニル、ポリスチレン、ナイロンなどの熱可塑性樹脂を用いた成形品であっても構わない。又、樹脂は、無延伸、一軸延伸、二軸延伸のいずれのものであっても使用できる。
【００７４】
更に、上記の第１の実施の形態では、蓋体の取り付け対象となる包装容器として、縁巻が形成されたものについて説明したが、取り付け対象となる包装容器の種類にも特に限定はない。蓋体は、縁巻を有していない包装容器に取り付けられるものであってもよい。
【００７５】
更に、上記の各実施の形態では、複数の直線部分を有する構成であったが、これに限られない。蓋体は上部において少なくとも一つの直線部分を有していればよく、この直線部分における周壁部の下端に、一対の切欠部が設けられ、この一対の切欠部に嵌合片が形成されていればよい。
【００７６】
更に、上記の各実施の形態では、蓋体の第１嵌合片が、凸部を有する構成、及び、第１嵌合片が下端に行くにしたがって外方に向かって広がる形状を有する構成であることを説明したが、これらの構成を省略することも可能である。
【００７７】
更に、上記の各実施の形態では、一対の第１切欠部が、逆Ｖ字形状を有することを説明したが、これに限られない。一対の第１切欠部は、それぞれ上方に向かって先細りのテーパー構造を有するものであればよい。
【００７８】
このように構成すると、成形型から抜き易くなるため、成形上有利な形状となる。よって、生産効率が向上する。
【符号の説明】
【００７９】
１…蓋体
１０…上部
１１…第１直線部
１２…第２直線部
１３…第３直線部
１４…第４直線部
１５…第５直線部
１６…第６直線部
１７…第７直線部
１８…第８直線部
２０…周壁部
３１ａ、３１ｂ…一対の第１切欠部
３２ａ、３２ｂ…一対の第２切欠部
３３ａ、３３ｂ…一対の第３切欠部
３４ａ、３４ｂ…一対の第４切欠部
３５ａ、３５ｂ…一対の第５切欠部
３６ａ、３６ｂ…一対の第６切欠部
３７ａ、３７ｂ…一対の第７切欠部
３８ａ、３８ｂ…一対の第８切欠部
４１…第１嵌合片
４２…第２嵌合片
４３…第３嵌合片
４４…第４嵌合片
４５…第５嵌合片
４６…第６嵌合片
４７…第７嵌合片
４８…第８嵌合片
尚、各図中同一符号は同一又は相当部分を示す。
【図１】
2018047945.tif 000003
【図２】
2018047945.tif 000004
【図３】
2018047945.tif 000005
【図４】
2018047945.tif 000006
【図５】
2018047945.tif 000007
【図６】
2018047945.tif 000008
【図７】
2018047945.tif 000009
【図８】
2018047945.tif 000010
【図９】
2018047945.tif 000011
【図１０】
2018047945.tif 000012
【図１１】
2018047945.tif 000013